【手続補正書】
【提出日】平成19年1月24日(2007.1.24)
【手続補正１】
【補正対象書類名】特許請求の範囲
【補正対象項目名】全文
【補正方法】変更
【補正の内容】
【特許請求の範囲】
【請求項１】
一般式（Ｉ）：
【化１】
2006527286.tif 000001
［式中、Ａは、一般式（ＩＩ）、（ＩＩＩ）、（ＩＶ）、または（Ｖ）の基であり：
【化２】
2006527286.tif 000002
｛式中、ＣおよびＤは、脂環式またはヘテロ環式基であり；
Ｒ１は、ＣＮであるか、またはＮ、Ｏ、およびＳの群からの１、２、もしくは３個のヘテロ原子を有する、５から７員へテロ芳香族基であり、
Ｒ２およびＲ３は互いに独立して、Ｃ１−Ｃ２５アルキル、Ｃ５−Ｃ１２シクロアルキル、Ｃ６−Ｃ２４アリール、ＯＨ、ＯＲ４またはＮＲ４Ｒ５（式中、Ｒ４およびＲ５は、同一または異なって、水素、非置換であるか、または１、２、３、もしくは４個の基、ハロゲン、Ｒ０、ＯＲ０、ＳＲ０、ＮＨ２、ＮＨＲ０、ＮＲ０２、ＮＯ２、ＣＯＯＨ、ＣＯＯＲ０、ＣＯＮＨ２、ＣＯＮＨＲ０、ＣＯＮＲ０２、ＣＮ、ＳＯ３Ｈ、ＳＯ２（ＯＲ０）、ＳＯ２Ｒ０、ＳＯ２ＮＨＲ０、ＳＯ２ＮＲ０２によって置換されているか、またはＮ、Ｏ、およびＳの群からの１、２、もしくは３個のヘテロ原子を有する５から７員へテロ芳香族基によって置換されているＣ１−Ｃ２５アルキル、Ｃ５−Ｃ１２シクロアルキル、Ｃ６−Ｃ２４アリールであるか、またはＮ、Ｏ、およびＳの群からの１、２、もしくは３個のヘテロ原子を有する５から７員へテロ芳香族基であり、Ｒ０は、Ｃ１−Ｃ１８アルキルまたはＣ６−Ｃ２４アリールである）である｝；および
Ｂは、非置換であるか、または一から四置換オルトＣ６−Ｃ１８アリーレンである］
の化合物。
【請求項２】
Ａが、式（ａ）から（ｇ）：
【化３】
2006527286.tif 000003
［式中、Ｒ６およびＲ７は互いに独立して、水素、Ｃ１−Ｃ２５アルキル、Ｃ５−Ｃ１２シクロアルキル、Ｃ６−Ｃ２４アリール、Ｃ１−Ｃ２５アルキル（Ｃ６−Ｃ１０アリール）、Ｎ、Ｏ、およびＳの群からの１、２、もしくは３個のヘテロ原子を有する５から７員へテロ芳香族基、−（ＣＨ２）ｎ−ＣＯＲ８または−（ＣＨ２）ｍ−ＯＲ９（式中、Ｒ８は、ヒドロキシル、アミノ、非置換またはモノ−もしくはポリヒドロキシル−もしくは−アミノ−置換されたＣ１−Ｃ２５アルコキシ、Ｃ１−Ｃ２５アルキルアミノ、ジ（Ｃ１−Ｃ２５アルキル）アミノ、Ｃ１−Ｃ２５アルキル（Ｃ６−Ｃ１０アリール）アミノ、（Ｃ６−Ｃ２４アリール）アミノ、ジ（Ｃ６−Ｃ２４アリール）アミノ、Ｃ１−Ｃ２５アルキル（Ｃ６−Ｃ１０アリール）アミノ、またはＣ２−Ｃ２４アルケニルオキシであり、Ｒ９は、水素または−ＣＯ−（Ｃ１−Ｃ２５アルキル）であり、ｎおよびｍは互いに独立して、０から６の整数である）であり、Ｒ６、Ｒ７、Ｒ８、およびＲ９において、Ｃ−Ｃ単位がエーテル単位Ｃ−Ｏ−Ｃによって置換されることも可能であり、
Ｘは、＝Ｏ、＝Ｓ、または＝ＮＲ１０（式中、Ｒ１０は、Ｒ６の定義の１つを有する）であり、
Ｙは、水素、Ｒ７、ＯＲ７、ＳＲ７、ＮＨＣＮまたはＮＲ７Ｒ１０であり、
Ｒ１１は、水素、ハロゲン、ＣＮ、Ｒ７、ＯＲ７、ＳＲ７、ＮＲ７Ｒ１０、ＮＯ２、ＳＯ２（ＯＲ７）、ＳＯ２Ｒ７、ＳＯ２ＮＨＲ７、ＳＯ２Ｎ（Ｒ７）２またはＰＯ２（ＯＲ７）である］
の二価の脂環式またはヘテロ環式基である、請求項１に記載の化合物。
【請求項３】
Ｒ６およびＲ７が、水素、Ｃ１−Ｃ１８アルキル、Ｃ５−Ｃ６シクロアルキル、Ｃ６−Ｃ１０アリール、ベンジル、ピリジル、ピリル、チエニル、イミダゾリル、オキサゾリル、チアゾリル、ピリミジル、ヒドロキシカルボニル−Ｃ０−Ｃ６アルキル、Ｃ１−Ｃ１８アルコキシカルボニル−Ｃ０−Ｃ６アルキル、アミノカルボニル−Ｃ０−Ｃ６アルキル、Ｃ１−Ｃ１８アルキルアミノカルボニル−Ｃ０−Ｃ６アルキル、Ｃ６−Ｃ１０アリールアミノカルボニル−Ｃ０−Ｃ６アルキル、ジ（Ｃ１−Ｃ１８アルキル）アミノカルボニル−Ｃ０−Ｃ６アルキル、Ｃ１−Ｃ１８アルキル−Ｃ６−Ｃ１０アリールアミノカルボニル−Ｃ０−Ｃ６アルキル、またはジ（Ｃ６−Ｃ１０アリール）アミノカルボニル−Ｃ０−Ｃ６アルキルである、請求項１または２に記載の化合物。
【請求項４】
Ｒ８が、ヒドロキシル、Ｃ１−Ｃ１８アルコキシ、Ｃ１−Ｃ１８アルキルアミノ、ジ（Ｃ１−Ｃ１８アルキル）アミノ、ベンジルアミノ、Ｃ６−Ｃ１０アリールアミノ、ジ（Ｃ６−Ｃ１０アリール）アミノ、または（Ｃ２−Ｃ１８）アルケニルオキシである、請求項２に記載の化合物。
【請求項５】
Ｒ１１が、水素、Ｃｌ、Ｂｒ、Ｃ１−Ｃ１８アルキル、Ｃ５−Ｃ６シクロアルキル、ベンジル、Ｃ６−Ｃ１０アリール、ピリジル、ピリル、チエニル、イミダゾリル、オキサゾリル、チアゾリル、ピリミジル、Ｃ１−Ｃ１８アルコキシ、Ｃ６−Ｃ１０アリールオキシ、Ｃ１−Ｃ１８アルキルチオ、Ｃ６−Ｃ１０アリールチオ、Ｃ１−Ｃ１８アルキルアミノ、Ｃ６−Ｃ１０アリールアミノ、ジ（Ｃ１−Ｃ１８アルキル）アミノ、Ｃ１−Ｃ１８アルキル（Ｃ６−Ｃ１０アリール）アミノ、ジ（Ｃ６−Ｃ１０アリール）アミノ、ＳＯ３Ｈ、Ｃ１−Ｃ１８アルコキシスルホニル、Ｃ１−Ｃ１８アルキルスルホニル、Ｃ１−Ｃ１８アルキルアミノスルホニルまたはジ（Ｃ１−Ｃ１８アルキル）アミノスルホニルである、請求項２に記載の化合物。
【請求項６】
溶媒または溶媒混合物中で、塩基性から中性条件下、−２０から１２０℃の温度で、式（ＸＩＶ）：
【化４】
2006527286.tif 000004
の２，３−ジシアノキノキサリンと、アンモニアおよび／またはアルコキシドＭＯＲ１２（式中、Ｍはナトリウムまたはカリウムである）の全部で少なくとも２当量とを反応させて、式（ＶＩ）、（ＶＩＩ）、または（ＶＩＩＩ）：
【化５】
2006527286.tif 000005
2006527286.tif 000006
（式中、Ｒ１２は、Ｃ１−Ｃ１８アルキルまたは−（ＣＨ２）ｍ−ＯＨであり、ｍは１から６の範囲内の整数であり、Ｃ−Ｃ単位がエーテル単位Ｃ−Ｏ−Ｃによって置換されることも可能である）のジ−またはモノイミノ−置換ジアザベンゾイソインドールを生じ、
これを次に、溶媒または溶媒混合物中で、中性から酸性条件下、式（ＩＸ）、（Ｘ）、（ＸＩ）、または（ＸＩＩ）：
【化６】
2006527286.tif 000007
の化合物の少なくとも２当量と反応させて、一般式（ＸＩＩＩａ）または（ＸＩＩＩｂ）：
【化７】
2006527286.tif 000008
のさらに１つの中間体を生じ、ついでこれから、１モルのアンモニアまたはＨＯＲ１２が除去されることによる、請求項１から５の１つまたはそれ以上に記載された化合物の調製方法。
【請求項７】
２，３−ジシアノキノキサリンは、式（ＸＶ）：
【化８】
2006527286.tif 000009
の２，３−ジクロロキノキサリンと、主要グループまたは遷移グループ金属のシアン化物とを、有機溶媒中で、相間移動触媒の存在下に高温で反応させることによって調製される、請求項６に記載の方法。
【請求項８】
一般式（ＸＩＩＩａ）：
【化９】
2006527286.tif 000010
（式中、ＡおよびＢは、請求項１から５の１つまたはそれ以上に規定されているものと同じである）の化合物。
【請求項９】
高分子量または低分子量の有機または無機材料を染色または着色するための、請求項１から５の１つまたはそれ以上に記載されている化合物の使用。
【請求項１０】
スピン着色用、塊体（ｍａｓｓ）着色もしくはプラスチックの着色用の、油ベースもしくは水ベースの塗料、コーティング材料、カモフラージュペイントにおける着色剤あるいは、種子用、インク、水ベースもしくは非水ベースのインクジェットインク、マイクロエマルジョンインク、およびホットメルトプロセスにしたがって操作されるインクの調製用の印刷用インク、紙の塊体着色における着色剤としての、請求項９に記載の使用。
【請求項１１】
電子写真トナーおよび現像剤用、カラーフィルター用、電子インク用、粉末コーティング材料用、および光学データ保存用の光学層における着色剤としての、請求項９に記載の使用。
【請求項１２】
有機または無機、高分子量または低分子量材料、および請求項１から５の１つまたはそれ以上に記載の化合物を、有機または無機材料を基準にして０．００５から７０重量％の量で含んでいる組成物。